(57)【要約】  チャンバ（１１）を画定するスリーブ（１０）と、電子デバイス（３２）を中に収容するように構成されるカプセル（３０）とを有するハウジングユニット（１）が提供される。カプセル（３０）がチャンバ（１１）内で受けられるように成形および構成される。スリーブ（１０）およびカプセル（３０）は、チャンバ（１１）の中でカプセルを解除可能に固定するのを可能にするように構成される協働的な固定形態を有する。スリーブ（１０）は、荷物キャリア内の空洞の中にスリーブを嵌め込むのを可能にするように成形および構成される。【選択図】図１０
2021535049.tif 000002
【特許請求の範囲】
【請求項１】
ハウジングユニットにおいて、
チャンバを画定するスリーブと、
電子デバイスを中に収容するように構成されるカプセルであって、前記カプセルが前記チャンバ内で受けられるように成形および構成される、カプセルと
を備え、
前記スリーブおよび前記カプセルは、前記チャンバの中で前記カプセルを解除可能に固定するのを可能にするように構成される協働的な固定形態を有し、
前記スリーブが荷物キャリア内の空洞の中に前記スリーブを嵌め込むのを可能にするように成形および構成される、
ハウジングユニット。
【請求項２】
前記固定形態が互いに嵌合するように構成される雌型の固定形態および相補的な雄型の固定形態を含み、前記雄型の固定形態および前記雌型の固定形態のうちの一方が前記スリーブに関連付けられ、他方が前記カプセルに関連付けられる、請求項１に記載のハウジングユニット。
【請求項３】
前記雄型の固定形態が傾斜する歯状の突出部であり、前記雌型の固定形態は、前記チャンバの中で前記カプセルが受けられるときに前記歯状の突出部の縁部を捕捉するように構成されるアパーチャを有するばね式のキャッチである、請求項２に記載のハウジングユニット。
【請求項４】
前記スリーブが前記荷物キャリア内の前記空洞の中で摩擦嵌合を確立し、前記スリーブが前記荷物キャリアの前記空洞の中でのその摩擦嵌合を強化するように構成される１つまたは複数の握持構造を有する、請求項１乃至３のいずれか１項に記載のハウジングユニット。
【請求項５】
前記握持構造は、前記空洞から前記スリーブが取り外されるのを防止するように構成されるバーブを有する、請求項４に記載のハウジングユニット。
【請求項６】
前記カプセルの外側端部は、前記チャンバの中で前記カプセルを固定するときに前記チャンバの開端部と面一となる、請求項１乃至５のいずれか１項に記載のハウジングユニット。
【請求項７】
前記カプセルの端部は、前記チャンバの中で前記カプセルを固定するのを促進するためにツールまたはキーを使用するのを可能にするための中に画定されるスロットまたはキー穴を有し、前記スロットまたは前記キー穴は、前記スリーブの中で前記カプセルを固定するためにまたは前記スリーブから前記カプセルを解放するためにツールまたはキーを使用するように動作可能である、請求項１乃至６のいずれか１項に記載のハウジングユニット。
【請求項８】
前記スリーブから前記カプセルを取り外すことおよび前記カプセルを前記スリーブの中に挿入することの一方または両方を感知するのを可能にするように構成される不正表示機構をさらに有する、請求項１乃至７のいずれか１項に記載のハウジングユニット。
【請求項９】
前記不正表示機構は、前記カプセルの前記外側端部の中に画定される前記スロットまたは前記キー穴の中に着座するように構成される不正明示ロック部材を有する、請求項７または８に記載のハウジングユニット。
【請求項１０】
前記不正明示ロック部材は、前記カプセル内に保持される電子デバイスにより、感知される磁界に基づいて前記ロック部材が取り外されたことを感知するのを可能にするための磁石を有する、請求項９に記載のハウジングユニット。
【請求項１１】
前記不正表示機構は、前記カプセル内に収容されるセンサにより、感知される磁界に基づいて前記スリーブから前記カプセルが取り外されることおよび前記スリーブの中に前記カプセルが挿入されることの一方または両方を感知するのを可能にするように構成される、前記スリーブ内に位置する磁石を有する、請求項７または８に記載のハウジングユニット。
【請求項１２】
前記固定形態が解除されるときにばねの付勢力下で前記カプセルを前記チャンバから少なくとも部分的に押すように構成されるばねをさらに有する、請求項１乃至１１のいずれか１項に記載のハウジングユニット。
【請求項１３】
請求項１乃至１２のいずれか１項に記載のハウジングユニットのためのスリーブ。
【請求項１４】
請求項１乃至１２のいずれか１項に記載のハウジングユニットのためのカプセル。
【請求項１５】
請求項１乃至１２までのいずれか１項に記載のハウジングユニットを組み込む荷物キャリア。
【請求項１６】
ハウジングユニットを荷物キャリアに追加設置する方法において、
チャンバを画定するスリーブを提供するステップであって、前記スリーブが荷物キャリアの中の空洞の中に嵌め込まれるように成形および構成される、ステップと、
前記スリーブを前記荷物キャリアの中の前記空洞の中に嵌め込むステップと、
電子デバイスを中で保持するための、前記チャンバの中で受けられるように成形および構成されるカプセルを提供するステップであって、前記スリーブおよび前記カプセルは、前記チャンバの中で前記カプセルを解除可能に固定するのを可能にするように構成される協働的な固定形態を有する、ステップと、
前記チャンバの中で前記カプセルを固定するステップと
を含む、方法。
【発明の詳細な説明】
【技術分野】
【０００１】
関連出願の相互参照
本出願は、参照により本明細書に組み込まれている、２０１８年８月２８日に出願した南アフリカ仮特許出願第２０１８／０５７２３号の優先権を主張するものである。
【０００２】
本発明は荷物キャリアのためのハウジングユニットに関する。より詳細には、本発明は、排他的ではないが、パレット、枠箱、ボックス、およびコンテナなどの、荷物キャリアと共に用いられる用途を見出す。
【背景技術】
【０００３】
サプライチェーン管理および物流管理は、サプライチェーンを通して物品を進行させるときの、物品のより良好であり効率的である制御、監視、および会計検査を常に進化させている。その結果、荷物キャリアは、しばしば、個別の荷物の識別および追跡さらには荷物の置かれている状態の監視を可能にするための電子回路を装備する。
【０００４】
例えば、電子回路は、荷物キャリアを一意的に識別するのを可能にするための無線周波数識別（ＲＦＩＤ：ｒａｄｉｏ−ｆｒｅｑｕｅｎｃｙ  ｉｄｅｎｔｉｆｉｃａｔｉｏｎ）タグまたは近距離無線通信（ＮＦＣ：ｎｅａｒ−ｆｉｅｌｄ  ｃｏｍｍｕｎｉｃａｔｉｏｎ）タグを有することができる。電子回路が、電子回路がそれ自体のロケーションおよびひいては荷物キャリアのロケーションを確認するのを可能にするための、全地球測位システムモジュールなどの、衛星測位モジュールをさらに有することができる。荷物の置かれている状態を記録および報告するための、湿度センサ、温度センサ、および加速度計などのセンサが電子回路にさらに含まれ得る。上で言及した構成要素または他の構成要素を制御することおよびそれらに応答させることを目的として、電子回路およびマイクロプロセッサとの遠隔通信を可能にするための無線周波数通信モジュールがさらに含まれ得る。電子回路およびその関連の構成要素を励磁するための、バッテリーなどの電力源が設けられ得る。
【０００５】
電子回路は、電子回路のインテグリティを維持して電子回路を用いての不正を防止するように荷物キャリアに取り付けられるかまたは他の形で固定されることを必要とする。プラスチックのパレットなどの高品質の荷物キャリアは１０年を超える耐用年数を有し得る。荷物キャリアの耐用年数中、電子回路および電子回路上で実行されるファームウェアのメンテナンス、アップグレード、または交換が必要となる可能性がある。したがって、電子回路にアクセスすることが時折必要となる可能性がある。
【０００６】
出願人はこの点に関して改善の余地があると考える。
本発明の背景技術の上記の考察は本発明の理解を容易にすることのみを意図される。本考察が、参照されるすべての素材が本出願の優先日における当技術分野のよく知られた一般的な知識の一部であるということを認識したりまたは認めたりするものではないことを認識されたい。
【発明の概要】
【課題を解決するための手段】
【０００７】
本発明の第１の態様によると、チャンバを画定するスリーブと、電子デバイスを中に収容するように構成されるカプセルであって、カプセルがチャンバ内で受けられるように成形および構成される、カプセルと、を備えるハウジングユニットが提供され、スリーブおよびカプセルは、チャンバの中でカプセルを解除可能に固定するのを可能にするように構成される協働的な固定形態を有し、スリーブが荷物キャリア内の空洞の中にスリーブを嵌め込むのを可能にするように成形および構成される。
【０００８】
別の特徴は、これらの固定形態が互いに嵌合するように構成される雌型の固定形態および相補的な雄型の固定形態を含むことと；雄型および雌型の固定形態のうちの一方をスリーブに関連付けてもう一方をカプセルに関連付けることと、を実現する。
【０００９】
例示の一実施形態で、固定形態がバイオネット式取付具である。代替の例示の実施形態で、雄型の固定形態が傾斜する歯状の突出部であり、雌型の固定形態は、チャンバの中でカプセルが受けられるときに歯状の突出部の縁部を捕捉するように構成されるアパーチャを有するばね式のキャッチである。別の代替の例示の実施形態で、固定形態がねじ部である。
【００１０】
別の特徴は、スリーブが荷物キャリア内の空洞の中で摩擦嵌合を確立することと；スリーブが摩擦嵌合を強化するように構成される１つまたは複数の握持構造を有することと；握持構造がそこから外側に延在する１つまたは複数の握持突出部を有することと；握持突出部が空洞からスリーブが取り外されるのを防止するように構成されるバーブであることと；握持構造がプレートに沿って離間される握持突出部を備える細長いグリッパプレートであることと、を実現する。
【００１１】
別の特徴は、チャンバの中でカプセルを取り外し可能に固定するときにカプセルの外側端部をチャンバの開端部と面一にすること、を実現する。
別の特徴は、カプセルの外側端部は、チャンバの中でカプセルを取り外し可能に固定するのを促進することを目的としてツールまたはキーを使用するのを可能にするための中に画定されるスロットまたはキー穴を有すること、を実現する。一実施形態で、スロットまたはキー穴は、スリーブの中でカプセルを固定するためにツールまたはキーを使用する形で動作可能である。別の実施形態で、スロットまたはキー穴は、スリーブからカプセルを解放するためにツールまたはキーを使用する形で動作可能である。
【００１２】
別の特徴は、ハウジングユニットは、スリーブからカプセルを取り外すことおよびカプセルをスリーブの中に挿入することの一方または両方を感知するのを可能にするように構成される不正表示機構を有すること、を実現する。
【００１３】
別の特徴は、不正表示機構は、カプセルの外側端部の中に嵌め込まれるように構成される不正明示ロック部材を有することと；不正明示ロック部材がカプセルの外側端部の中に画定されるスロットの中に着座するように構成されることと；不正明示ロック部材は、カプセル内に保持される電子デバイスにより、スリーブからカプセルが取り外されることの前兆として感知される磁界に基づいてロック部材が取り外されたことを感知するのを可能にするための磁石を有することと、を実現する。
【００１４】
代替の特徴は、不正表示機構は、カプセル内に収容されるセンサにより、感知される磁界に基づいてスリーブからカプセルが取り外されることおよびスリーブの中にカプセルが挿入されることの一方または両方を感知するのを可能にするように構成される、スリーブ内に位置する磁石を有すること、を実現する。
【００１５】
別の特徴は、ハウジングユニットは、チャンバの中でカプセルが固定されるときにチャンバの内側端部とカプセルとの間に挿置されるばねを有することと；ばねをチャンバの内側端部に固定することと；ばねは、固定形態が解除されるときにカプセルをチャンバから外側に少なくとも部分的に押すように構成されることと、を実現する。
【００１６】
別の特徴は、荷物キャリアは、パレット、スキッド、枠箱、および中間バルクコンテナからなる群から選択されること；荷物キャリアの空洞は、荷物キャリアのボディの中の補強リブによって形成されること、を実現する。
【００１７】
別の特徴は、電子デバイスをバッテリーによる電力供給の方式（ｂａｔｔｅｒｙ  ｐｏｗｅｒｅｄ）にすることと；電子デバイスを電子監視デバイスにすることと；電子監視デバイスが固有の識別子を有すること；電子監視デバイスは、周囲温度、湿度、加速度、緯度・経度、高度、速度、および不正事象からなる群のうちの１つまたは複数の項目を監視するように構成されることと；電子監視デバイスは、監視データを記録するようにおよび／または監視データをリモートサーバに報告するように構成されることと、を実現する。
【００１８】
本発明の第２の態様によると、上述のハウジングユニットのためのスリーブが提供される。
本発明の第３の態様によると、上述のハウジングユニットのためのカプセルが提供される。
【００１９】
本発明の第４の態様によると、上述のハウジングユニットを組み込む荷物キャリアが提供される。
本発明の第５の態様によると、ハウジングユニットを荷物キャリアに追加設置する方法が提供され、この方法が：
チャンバを画定するスリーブを提供することであって、スリーブが荷物キャリアの中の空洞の中に嵌め込まれるように成形および構成される、ことと；
スリーブを荷物キャリアの空洞の中に嵌め込むことと；
電子デバイスを中で保持するためのカプセルを提供することであって、カプセルは、チャンバの中で受けられるように成形および構成され、カプセルがチャンバの中でカプセルを固定するための固定形態を有する、ことと；
チャンバの中でカプセルを固定することと
を含む。
【００２０】
別の特徴は、スリーブを荷物キャリアの中の空洞の中に嵌め込むステップは、中にスリーブを嵌め込むのを可能にするように成形される空洞を荷物キャリアの中に機械加工するステップによって先行されること、を実現する。
【００２１】
次に、添付図面を参照して単に例として本発明の実施形態を説明する。
【図面の簡単な説明】
【００２２】
【図１】本発明による、荷物キャリアのためのハウジングユニットを示す分解三次元図である。
【図２】ハウジングユニットのカプセルによって保持される電子デバイスを示している、図１のハウジングユニットを示す別の分解三次元図である。
【図３】カプセルがハウジングユニットのスリーブの中で固定されており、不正明示タブがカプセルの中に装着されている状態の、図１のハウジングユニットを示す三次元図である。
【図４】図３に示される構成のハウジングユニットを示す正面図である。
【図５】図３に示される構成のハウジングユニットを示す側面図である。
【図６】図３に示される構成のハウジングユニットを示す上面図である。
【図７】図３に示される構成のハウジングユニットを示す底面図である。
【図８】スリーブが荷物キャリアの中に装着された状態の、ハウジングユニットを示す三次元の部分分解図である。
【図９】荷物キャリア上でのハウジングユニットの例示の装着ロケーションを示す概略図である。
【図１０】ハウジングユニットの別の実施形態を示す三次元分解図である。
【図１１】図１０の三次元分解図を示す代替の図である。
【図１２】図１０のハウジングユニットのスリーブを示す側面図である。
【図１３】図１２のスリーブを示す代替の側面図である。
【図１４】図１２のスリーブを示す軸方向図である。
【図１５】図１２のスリーブを示す代替の軸方向図である。
【図１６】図１０のハウジングユニットのカプセルを示す側面図である。
【図１７】図１６のカプセルを示す代替の側面図である。
【図１８】図１６のカプセルを示す軸方向図である。
【図１９】図１６のカプセルを示す代替の軸方向図である。
【図２０】荷物キャリアにハウジングユニットを追加設置するための方法を示す流れ図である。
【発明を実施するための形態】
【００２３】
以下で、荷物キャリアのためのハウジングユニットの例示の実施形態を開示する。荷物キャリアは、移送または配送される物品をその上で運ぶ任意の耐荷重支持構造であってよい。これは特にはパレットまたはスキッドと共に用いられる用途を見出すが、枠箱およびコンテナまたは中間バルクコンテナを含めた、他の荷物キャリアと共に使用されてもよい。さらに、これは特には成形プラスチックのパレットおよびスキッドなどの、プラスチックの荷物キャリアと共に用いられる用途を見出す。
【００２４】
ハウジングユニットがスリーブを有し、このスリーブは、使用時、ハウジングユニットのための外枠を形成する。スリーブは、保管カプセルを中で受けるようにおよびカプセルをチャンバ内で取り外し可能に固定するように相補的に形成される内部チャンバを有する。カプセルがバイオネット式取付具を用いてチャンバの中で固定され得るが、例えばチャンバ内にあるおよびカプセル上にある相補的なねじ部を用いるなどの、カプセルをチャンバの中で取り外し可能に固定するのに任意適切な方法が利用されてもよい。
【００２５】
スリーブは、荷物キャリアの中の空洞の中に嵌め込まれるように構成および寸法決定される。成形プラスチックのパレットまたはスキッドは、例えば、等しい耐荷重能力を維持しながら荷物キャリアの材料および重量を低減するために補強リブを利用する。したがって、空洞は、これらの補強リブの間の空間によって提供され得る。好適な実施形態で、荷物キャリアの中の空洞は、通常は荷物キャリアの角部にある、荷物キャリアの支持カラムまたは「フィン」のうちの１つの中にある。
【００２６】
カプセルは、電子デバイスを中で堅固に包囲するように構成され得る。「電子デバイス」という用語は広く解釈されるべきであり、周囲条件センサ、追跡デバイス、識別デバイス、およびデータロガーなどを含むことができる。電子デバイスとの無線周波数（ＲＦ：ｒａｄｉｏ  ｆｒｅｑｕｅｎｃｙ）通信を可能にするために、スリーブおよびカプセルが、ＲＦ信号を弱める程度を可能な限り小さくするポリマー材料から製造され得る。カプセルは、ダストおよび湿気の侵入から電子デバイスを保護することができる。電子デバイスが種々の状態を監視するように構成され得、下記で説明される例示の実施形態では電子監視デバイスと称される。
【００２７】
スリーブは、空洞の壁との摩擦嵌合を確立するように構成され得る。これが、空洞の寸法とスリーブの寸法との間の精密な公差によって促進され得る。摩擦嵌合は、例えば、スリーブ上の粗い外部表面により強化され得るか、または空洞を囲む材料を握持する突出要素を用いて強化され得る。しかし、別法として、ハウジングの外部表面が、荷物キャリアの空洞の中にスリーブが装着されるときに圧縮する弾性変形可能な材料を装備することもでき、それにより、空洞からスリーブが取り外されるのを防止することができる。
【００２８】
スリーブのチャンバの中で固定されるとき、チャンバの中に挿入される側とは反対側の端部であるカプセルの外側端部がスリーブの開端部と面一になることができる。カプセルの外側端部が中に画定されるスロットを有することができる。これにより、操作者は、カプセルを固定するかまたは取り外すときに、コインまたはドライバーなどのツールを使用することが可能となり得る。その理由は、特にはバイオネット式取付具またはねじ嵌合の場合に、回す行為が必要となる可能性があるかである。このプロセスは自動化されてもよく、この場合、ロボットアームがカプセルをスリーブのチャンバの中に挿入してカプセルをスリーブのチャンバの中で固定することができる。
【００２９】
図１から９は、本発明による、荷物キャリア（１）のためのハウジングユニットの実施形態を示す。図１の分解図は、スリーブ（１０）と、後で考察されるように解除可能な手法でスリーブ（１０）の中に固定されるように構成されるカプセル（３０）とを有するハウジングユニット（１）を示す。スリーブ（１０）は、それと共にハウジングユニット（１）が使用されることになる例示の荷物キャリアのフィンの中の空洞の形状に対応する概略長方形の断面プロフィールを有する。
【００３０】
スリーブ（１０）は、スリーブ（１０）の中まで長手方向に延在する中央チャンバ（１１）を画定する。チャンバ（１１）は、チャンバの開端部（１３）から直接に延在する第１のリブセクション（１２）によって囲まれる。リブセクション（１２）は、スリーブ（１０）から径方向に延在する離間される平行なリブ（１４）を有し、スリーブの概略長方形の断面形状を画定する。
【００３１】
第２の露出セクション（１５）がリブセクション（１２）の反対側の長手方向端部のところに設けられる。露出セクション（１５）は、２つの離間される平行な壁セクション（１６）を主として備える。横方向部材（１７）が２つの壁セクション（１６）を接続し、チャンバの開端部（１３）の反対側の端部のところに設けられる。使用時、露出セクション（１５）がチャンバ（１１）の機能的な内側閉端部（１８）のところに位置する。したがって、露出セクション（１５）は、チャンバの一部分をチャンバ（１１）の閉端部（１８）の方に露出する。螺旋状の圧縮ばね（１９）が横方向部材（１７）のところでチャンバ（１１）の中央で固定され、チャンバの開端部（１３）の方に延在している。この機能は後で説明される。
【００３２】
スリーブ（１０）は、スリーブの両側から径方向に延在する一対の細長いグリッパプレート（２０）を有し、各グリッパプレートが各グリッパプレートの最外縁部の周りで離間される一列のバーブ（２１）を画定する。グリッパプレート（２０）は、スリーブの中に荷物キャリアが装着されるときの、スリーブ（１０）と荷物キャリアとの間の摩擦嵌合のグリップ力を増大させる働きをする。
【００３３】
ハウジングユニット（１）は、概略円筒形形状を有するカプセル（３０）をさらに有する。図２でより明瞭に示されるように、カプセル（３０）は、電子デバイス（３２）を保持するための保管エリア（３１）を画定する中空の内側空間を有し、また、参照を容易にするためにホルダセクション（３３）およびキャップセクション（３４）と称される、２つの主要パートを有する。両方のセクション（３３、３４）は、これらのセクションを組み付けてそれにより閉じたカプセル（３０）を形成するときに位置合わせされる径方向反対側にあるタブ（３５、３６）を有する。ねじ（図示せず）を使用してそれぞれのセクション上の対応するタブ（３５、３６）をねじ込むことにより、ホルダセクション（３３）およびキャップセクション（３４）が互いに固定され得る。キャップセクション（３４）は、下側セクションの外部表面内で各タブ（３５）に直列に長手方向に延在する細長い凹部（３７）を装備し、それによりドライバーを用いてこれらのねじにアクセスすることが可能となる。
【００３４】
再び図１を参照すると、ホルダセクション（３３）の軸方向の外側表面（３８）は、中に画定される直径方向に延在するスロット（３９）と実質的に面一となる。ハウジングユニット（１）は、ホルダセクション（３３）の中のスロット（３９）の中に嵌め込まれるように構成される細長いクロス部材（４１）を有する不正明示タブ（４０）をさらに有する。不正明示タブ（４０）は、その各々の外側端部のところに設けられて静止状態においてクロス部材（４１）に対して実質的に垂直に延在する２つの弾性的な柔軟性を有するクリップ（４２）をさらに有する。各クリップ（４２）が外側に角度をつけられるフック（４３）を有する。不正明示タブ（４０）は、クリップ（４２）の間の実質的に中央においてクロス部材（４１）上に設けられる磁石（４４）さらに有する。その機能は後で説明する。
【００３５】
カプセル（３０）に含まれる電子デバイス（３２）は、その上に設けられる磁気感受性を有する構成要素（ｍａｇｎｅｔｉｃａｌｌｙ  ｓｅｎｓｉｔｉｖｅ  ｃｏｍｐｏｎｅｎｔ）を有することができ、磁気感受性を有する構成要素は、不正明示タブ（４０）上の磁石（４４）の存在（不在）を感知するように構成される。これにより、電子デバイス（３２）がローカルメモリ上の事象を記録し、および／または不正事象の発生を示す危険信号（ｄｉｓｔｒｅｓｓ  ｓｉｇｎａｌ）をリモートサーバに送信する、特定の荷物キャリアを一意的に識別するための情報、および任意選択でこの特定の荷物キャリアの緯度・経度の位置を危険信号中に含めることにより、操作者が迅速に介入することが可能となり得る。
【００３６】
図３から７は、スリーブ（１０）の中で固定されるカプセル（３０）を示す。図３および６でより明瞭に見られるように、不正明示タブ（４０）がやはりその設置構成にある。不正明示タブ（４０）を装着するために、不正明示タブ（４０）がスロット（３９）の中に配置され、クリップ（４２）がスリーブの方に延在してスロットの中へ押し込まれる。装着構成では、フック（４３）は、スリーブ（１０）の中に設けられるキャッチ（図示せず）の上に掛止されるように構成され、それにより不正明示タブ（４０）を定位置で維持する。電子監視デバイスがカプセル（３０）の中で包囲されて作動の準備が整うと、カプセルがスリーブ（１０）の中で固定され得、上述したように不正明示タブ（４０）がカプセルスロット（３９）の中に装着される。さらに、電子デバイス（３２）は、感知される磁界強度に基づいて不正事象に反応するように構成され得る。こうすることで、電子デバイス（３２）は、カプセル（３０）の取り外しのつまり不正明示タブ（４０）の取り外しの前兆またはその途中の段階を感知することにより、スリーブ（１０）からのカプセル（３０）の取り外しを感知することができる。
【００３７】
カプセル（３０）のタブ（３５、３６）が第２の機能も果たす。つまり、タブ（３５、３６）は、カプセル（３０）をスリーブ（１０）に取り外し可能に固定するバイオネット式取付具の雄側をさらに形成する。スリーブ（１０）は、そのチャンバ（１１）の開口部のところに、その長さ方向の内側に、対応する、径方向反対側にある切欠部またはスロット（２２）を有し、それによりバイオネット式取付具の雌側を形成する。スリーブ（１０）のチャンバ（１１）の中でカプセル（３０）を固定するために、カプセルタブ（３５、３６）がチャンバ（１１）の開口部のところにある相補的な形状の切欠部（２２）に位置合わせされ、カプセル（３０）は、スリーブ（１０）の遠い方の端部のところでカプセルの挿入端部をばね（１９）に当接させるまで、チャンバの中に挿入される。この時点で、カプセル（３０）がチャンバ（１１）に含まれることになるが、ここでは、スロットを有する外側端部がスリーブ（１０）からわずかに突出する。
【００３８】
カプセル（３０）をスリーブ（１０）の中に完全に挿入するために、およびカプセルをスリーブの中で解除可能に固定するために、使用者がばね（１９）の力の打ち勝つための軸方向の力をカプセルに加えなければならない。この軸方向の力を加えながら、使用者は、バイオネット式取付具を機能させてカプセルタブ（３５、３６）をカプセルの固定位置に配置するために（図７を参照）、カプセル（３０）を回さなければならない。この手順を補助するためにスロット（３９）の中にツールが挿入され得る。カプセル（３０）をスリーブ（１０）から取り外す場合、この手順の逆の手順が実施される。カプセル（３０）が回転させられてバイオネット式取付具が解除されると、ばね（１９）の力がカプセルを押してスリーブ（１０）からわずかに外に出し、それにより操作者がスリーブから取り外すためにカプセルを容易に握持することが可能となる。操作者は、スリーブ（１０）の中でカプセル（３０）を手動で固定するのを実施する人間の操作者であってよい。しかし、ハウジング（１）およびカプセル内で保持される電子デバイス（３２）組み付けおよび修理が自動化され得ることも企図される。この自動化は、例えばこの目的のために構成されるロボットアームによって実行され得る。
【００３９】
図８は、荷物キャリア（５０）の中に装着されるスリーブ（１０）を示す。より具体的には、スリーブ（１０）が荷物キャリア（５０）の空洞（５１）の中で受けられ、スリーブ（１０）の露出端部（１５）が関連の空洞（５１）の中まで延在している。図８に示される例示の荷物キャリアはプラスチックのパレットである。しかし、スリーブ（１０）は、空洞の寸法に関係なく、そのボディの中に画定される空洞を有する任意適切な荷物キャリアと共に使用されてもよく、その場合、ハウジングユニット（１）およびひいてはスリーブ（１０）がそれに応じて適合される。したがって、図８に示される荷物キャリアと共に使用される場合、リブセクション（１２）が関連の空洞（５１）の口（５２）の近くに配置され、ここでは、スリーブ（１０）の開端部（１３）が空洞（５１）の口（５２）と実質的に面一になるように配置される。
【００４０】
スリーブ（１０）は、単純に空洞の中に圧入されることにより、空洞（５１）の中に装着される（図９も参照されたい）。ハウジングユニット（１）のこの特定の実施形態は特定の荷物キャリア（５０）に合うように適合されており、その結果、スリーブ（１０）が空洞（５１）内で締まり嵌めを確立する。スリーブ（１０）が図８に示されるように荷物キャリア（５０）の中に装着されると、バーブ（２１）は、スリーブを中に装着しているところの空洞（５１）の内側表面に咬合し（または、他の形で変形させ）、それにより空洞から取り外されるのを防止する。この実施形態では、グリッパプレート（２０）は、概略正方形のプロフィールを有するスリーブ（１０）の２つの対向する角部から径方向に延在する。したがって、荷物キャリア（５０）の中に装着されると、バーブ（２１）が関連の空洞（５１）の対応する内側角部の中まで延在して咬合する。もちろん、荷物キャリア（５０）とのグリップ力および接着力をさらに増大させるためにスリーブ（１０）の外側表面に接着剤が適用されてもよいことが認識されよう。
【００４１】
図８は、空洞（５１）の口（５２）と面一となるスリーブ（１０）の開端部（１３）を示す。しかし、実際には、スリーブ（１０）が空洞（５１）の中である程度窪むように装着されてもよい。これにより、保管を目的として他の荷物キャリア上での荷物キャリア（５０）の積み重ね能力が保証され得、さらにはハウジングユニット（１）のダメージおよび／または感知を防止することができる。
【００４２】
上記の一実施形態ではカプセルをスリーブに取り外し可能に固定するためのバイオネットタイプの取付具を説明するが、ねじ構成などの他の機構も使用され得ると考えられる。バイオネット式取付具の構成が逆にされてもよく、突出部がチャンバ内に設けられ、対応するスロットがカプセル内に設けられる。カプセルは、任意選択で侵入防止プラグを用いて保護される、クイックアクセスのアパーチャを有することもでき、それにより、スリーブからカプセルを取り外すのを必要とすることなく電子監視デバイスとのデータ交換を可能にする。図に描かれる実施形態は一対のグリッパプレートを含むが、１つのグリッパプレートのみを使用するような、またはグリッパプレートを必要とせずスリーブが単に荷物キャリアの中の空洞の中に圧入されるか、接着されるか、または他の形で固定されるような、実施形態も可能であることが企図される。さらに、別法として、カプセルの中に含まれる電子デバイス上に設けられる磁気感受性を有する構成要素は、この目的のための適切な送信機を備えることができる不正明示タブの存在（または不在）を察知するための任意適切なセンサであってもよいことが認識されよう。
【００４３】
図１０から１９は、本発明による、荷物キャリアのためのハウジングユニット（１００）の別の実施形態を示す。図１０および１１の分解図を参照すると、ハウジングユニット（１００）は、スリーブ（１１０）と、後でさらに説明されるように解除可能な手法でスリーブ（１１０）の中で固定されるように構成されカプセル（１３０）とを有する。スリーブ（１１０）は、図１４および１５でより明瞭に示される概して丸い形状のまたは概略円形の断面プロフィールを有する。したがって、ハウジングユニット（１００）と共に使用することになる特定の荷物キャリアは、スリーブ（１１０）を中に嵌め込むのを可能にするために相補的な形状の断面を必要とする。
【００４４】
スリーブ（１１０）が概略円筒形の全体形状を有する。スリーブ（１１０）は、スリーブ（１１０）の中まで長手方向に延在する中央チャンバ（１１１）を画定し、また、開端部（１１３）および反対側の閉端部（１１８）を有する。チャンバ（１１１）は、チャンバ（１１１）の開端部（１１３）から直接に延在する外側周縁部に沿って長手方向に延在するリブ（１１２）を有する。
【００４５】
スリーブ（１１０）は、スリーブの両側から径方向外側に延在する一対の径方向反対側にあるバーブ状の握持構造（１２０）を有する。握持構造（１２０）は、スリーブの外側周縁部に沿って長手方向に延在する引張アーム（１２１）から突出し、スリーブの中に荷物キャリアが装着されるときの、スリーブ（１１０）と荷物キャリアとの間の摩擦嵌合のグリップ力を増大させる働きをする。スリーブ（１１０）が荷物キャリアの中の空洞の中に挿入されると、バーブ状の握持構造（１２０）が空洞の側部を押圧することができ、引張アーム（１２１）の付勢に逆らって径方向内側に付勢され得、それにより空洞の中でのそのグリップ力を増大させる径方向外向きの力を生み出す。スリーブ（１１０）を中に装着するところの荷物キャリアの中の空洞が、握持構造（１２０）の長手方向位置に対応する長手方向位置のところに窪みを有してもよいことが企図される。これにより、荷物キャリアの空洞の中に挿入されるときにバーブ状の握持構造（１２０）をこれらの窪みに留めるのを可能にすることができ、それによりスリーブ（１１０）が荷物キャリアから取り外されるのに抵抗するようになる。
【００４６】
スリーブ（１１０）が２つの鏡像の半体（１０１、１０２）から構成される。図１０および１１が長手方向に延在する接合ライン（１０３）を示しており、ここで２つの半体が接合されている。概略ディスク形状のエンドキャップ（１０５）が２つの半体（１０１、１０２）を接合するのを容易にし、また、スリーブ（１１０）の各々の半体（１０１、１０２）上に設けられる対応するボルト（１０７）を受けるように成形される２つの径方向反対側にあるキー穴のアパーチャ（１０６）を有する。２つの半体（１０１、１０２）を一体に接合するために、各ボルト（１０７）のヘッドがエンドキャップ（１０５）の中のキー穴のアパーチャ（１０６）を通って延在させられ、エンドキャップが回転させられ、その結果、各ボルトのヘッドがキー穴のアパーチャの狭い端部のところに位置するようになる。エンドキャップ（１０５）は、その機能的な外側表面の中に直径方向に延在するスロット（１０８）をさらに画定する。
【００４７】
ハウジングユニット（１００）は、スリーブ（１１０）の中で受けられるように成形および構成される細長いカプセル（１３０）をさらに有する。カプセル（１３０）が実質的に平坦な長手方向端部を有し、スリーブ（１１０）の中に動作可能に挿入される端部（１３２）に向かってテーパ状になっている。カプセル（１３０）は、電子構成要素およびバッテリーなどを保持するための保管エリアを画定する中空の内側空間（図示せず）を有する。
【００４８】
スリーブ（１１０）の中に動作可能に挿入される端部（１３２）の近くで、傾斜する歯状の突出部（１３４）がカプセル（１３０）の両側に設けられる。各々の歯状の突出部（１３４）が径方向外側に傾斜しており、突出する縁部（１３５）のところで終端する。これが、スリーブ（１１０）の中でカプセル（１３０）を動作可能に固定する固定形態の雄側を形成する。
【００４９】
スリーブ（１１０）は、スリーブの中にカプセルを挿入するときにカプセル（１３０）の対応する歯状の突出部（１３４）の縁部（１３５）の上に留まるように成形および構成されるアパーチャを有する２つの径方向反対側にあるばね式のキャッチ（１０９）を有する。これにより、カプセル（１３０）がスリーブ（１１０）の中で解除可能に固定される。キャッチ（１０９）は、スリーブ（１１０）の中でカプセル（１３０）を動作可能に固定する固定形態の雌側を形成する。スリーブ（１１０）からカプセル（１３０）を取り外す場合、各々の歯状の突出部（１３４）の縁部（１３５）を外すために径方向外向きの十分な距離でキャッチを付勢するのにツールが利用され得、それによりカプセル（１３０）を引き抜くことが可能となる。
【００５０】
この実施形態では、磁石（図示せず）がスリーブ（１１０）内に配置され得る。第１の実施形態と同様に、カプセル（１３０）の中に含まれる電子デバイス（図示せず）がその上に設けられるホール効果センサなどの磁気感受性を有する構成要素を有することができ、磁気感受性を有する構成要素は、スリーブ（１１０）内でのカプセル（１３０）の存在または不在に対応する磁石の磁界の存在または不在を感知するように構成される。
【００５１】
いくつかの実施形態で、ハウジングユニットは、特定の荷物キャリアのために、一定範囲の荷物キャリアのために、または少なくとも特定の空洞サイズを有する荷物キャリアのために、構成され得る。荷物キャリアには、荷物キャリアの中に予め装着されるかまたは少なくとも部分的に予め装着されるハウジングユニットが提供され得る。
【００５２】
上述のハウジングユニットの例示の実施形態が単に例示を目的としており、本発明の範囲内に留まりながら、サイズ、形状、および構成が異なる実施形態の間で異なっていてよい、ことを認識されたい。例えば、特定の荷物キャリア（例えば、パレット）は、構造的な補強のために円形のまたはハニカム状の構造を有することができる。この場合、ハウジングユニットが円形のまたは場合によっては六角形のプロフィールを有することができ、それにより特定の荷物キャリアの空洞の中で受けられることが可能となる。ハウジングユニットならびにひいてはスリーブおよびカプセルの全長は、多様な荷物キャリアに適合するように、さらには多様な電子監視デバイスに対応するように、多様となり得る。
【００５３】
他の実施形態で、可能性として、上述のハウジングユニット（１、１００）を荷物キャリアに追加設置する方法の一部として、適切な空洞が荷物キャリアの中に機械加工される必要がある可能性がある。図２０は、ハウジングユニットを荷物キャリアに追加設置するための方法（２００）のステップを示す。第１のステップで、荷物キャリアが機械加工され得（２０２）、それにより、摩擦嵌合によりスリーブ（１０、１１０）を中で受けるように成形される空洞を作る。いくつかの実施形態で、概略円形断面を有するスリーブがより実用的である可能性があることが企図される。その理由は、荷物キャリアにハウジングユニット（１、１００）を追加設置するとき、正方形の断面を有する空洞を機械加工するよりも円形の空洞を機械加工する方が容易である可能性があるからである。
【００５４】
スリーブ（１０、１１０）が提供され（２０４）、スリーブ（１０、１１０）が荷物キャリアの空洞の中に嵌め込まれる（２０６）。カプセル（３０、１３０）が提供され（２０８）、カプセル（３０、１３０）は、スリーブ（１０、１１０）のチャンバ（１１、１１１）の中で受けられるように成形および構成される。先行するステップとして、電子デバイスがコミッショニングされてカプセル（３０、１３０）の中に収容され得る。次いで、カプセル（３０、１３０）がスリーブ（１０、１１０）の中に挿入されてスリーブ（１０、１１０）によって受けられ、スリーブおよびカプセル（３０、１３０）のそれぞれの対応する雄型および雌型の固定形態が係合され、それによりスリーブの中でカプセルを解除可能に固定する（２１２）。
【００５５】
したがって、本明細書で開示される発明は荷物キャリアのための堅牢で軽量なハウジングユニットを提供し、電子監視デバイスを中で保持するのを可能にし、他方で、場合によっては、交換、修理、またはアップグレードのために、電子部品への権限を与えられた通常のアクセスを可能にする。電子監視デバイスがハウジングユニットにより液体またはダストの侵入から保護され得、衝撃によるダメージから保護され得、不正目的の人物によるデバイスの感知を困難にする。さらに、いくつかの実施形態で、特定の荷物キャリアがスリーブを中に嵌め込むことができる既存の空洞を有する場合に物理的な修正が必要にならない可能性がある。既存の空洞を有さない荷物キャリアの場合、またはスリーブの受けるのに適さない荷物キャリアの場合、関連の荷物キャリアの中に適切な空洞を機械加工した後でハウジングユニットが追加設置され得る。
【００５６】
文脈により他の意味が必要とされない限り、本出願を通して「ｃｏｍｐｒｉｓｅ」という単語あるいは「ｃｏｍｐｒｉｓｅｓ」または「ｃｏｍｐｒｉｓｉｎｇ」などの変化形は、言及した完全体（ｉｎｔｅｇｅｒ）または完全体のグループを含み、任意の他の完全体または完全体のグループを排除しない、ことを暗に意味するものと理解される。
【図１】
2021535049.tif 000003
【図２】
2021535049.tif 000004
【図３】
2021535049.tif 000005
【図４】
2021535049.tif 000006
【図５】
2021535049.tif 000007
【図６】
2021535049.tif 000008
【図７】
2021535049.tif 000009
【図８】
2021535049.tif 000010
【図９】
2021535049.tif 000011
【図１０】
2021535049.tif 000012
【図１１】
2021535049.tif 000013
【図１２】
2021535049.tif 000014
【図１３】
2021535049.tif 000015
【図１４】
2021535049.tif 000016
【図１５】
2021535049.tif 000017
【図１６】
2021535049.tif 000018
【図１７】
2021535049.tif 000019
【図１８】
2021535049.tif 000020
【図１９】
2021535049.tif 000021
【図２０】
2021535049.tif 000022
【国際調査報告】
2021535049.tif 000023
2021535049.tif 000024